【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
基板と、
それぞれが、前記基板の上面に順に形成された第１導電型半導体層、活性層及び第２導電型半導体層を有し、前記基板の上面に位置する複数の発光セルと、
前記複数の発光セルが並列、または直列と並列との組み合わせで連結されるよう前記複数の発光セルが形成された基板上に形成された複数の連結部と、
前記複数の連結部と前記複数の発光セルとの所望しない接続が防止されるよう前記複数の発光セルの表面に形成された絶縁層と
を含み、
前記複数の発光セル間の領域は少なくとも活性層まで除去された分離領域と定義され、
前記複数の発光セルは、少なくとも１つの不良発光セルを含み、前記不良発光セルと接続する連結部のうち少なくとも１つが切断されたことを特徴とする半導体発光装置。
【請求項２】
前記複数の発光セルは、それぞれ２以上の発光セルを有する複数の列に配列され、
前記連結部は、前記複数の列の各々の一端に位置する発光セルの第１導電型半導体層に連結された第１連結部と、前記複数の列の各々の他端に位置する発光セルの第２導電型半導体層に連結された第２連結部と、前記複数の列の各々に属する発光セルが前記第１及び第２連結部の間で相互直列に連結されるように形成された複数の相互連結部とを含むことを特徴とする請求項１に記載の半導体発光装置。
【請求項３】
前記複数の連結部は、前記複数の発光セルの第１導電型半導体層に連結された少なくとも１つの第１連結部と、前記複数の発光セルの第２導電型半導体層に連結された少なくとも１つの第２連結部とを含むことを特徴とする請求項１に記載の半導体発光装置。
【請求項４】
前記複数の発光セルは、Ｍ個の行とＮ個の列（ここで、Ｍ、Ｎは４以上の整数）に配列され、
前記列の各々に位置するＭ個の発光セルは、それぞれ相互直列に連結された２以上の発光セルを有する複数のグループに区分され、前記複数のグループの発光セルは、隣接する他のグループの発光セルと同一極性の電極が対向するように形成され、
前記連結部は、前記複数のグループの各々の一端に位置する発光セルの第１導電型半導体層に連結された少なくとも１つの第１連結部と、前記複数のグループの各々の他端に位置する発光セルの第２導電型半導体層に連結された少なくとも１つの第２連結部と、前記複数のグループの発光セルを相互直列に連結する直列連結用相互連結部とを含むことを特徴とする請求項１に記載の半導体発光装置。
【請求項５】
基板と、
それぞれが、前記基板の上面に順に形成された第１導電型半導体層、活性層及び第２導電型半導体層を有し、前記基板の上面に位置する複数の発光セルと、
前記複数の発光セルが直列と並列との組み合わせで連結されるよう前記複数の発光セルが形成された基板上に形成された複数の連結部と、
前記複数の連結部と前記複数の発光セルとの所望しない接続が防止されるよう前記複数の発光セルの表面に形成された絶縁層と
を含み、
前記複数の発光セルは、それぞれ２以上の発光セルを有する複数の列に配列され、
前記複数の連結部は、前記複数の列の各々の一端に位置する発光セルの第１導電型半導体層に連結された第１連結部と、前記複数の列の各々の他端に位置する発光セルの第２導電型半導体層に連結された第２連結部と、前記複数の列の各々に属する発光セルが前記第１連結部及び前記第２連結部の間で相互直列に連結されるように形成された複数の相互連結部と、前記複数の列のうち少なくとも一部の列の相互連結部を行方向に沿って連結するように形成された中間連結部とを含む半導体発光装置。
【請求項６】
基板と、
それぞれが、前記基板の上面に順に形成された第１導電型半導体層、活性層及び第２導電型半導体層を有し、前記基板の上面に位置する複数の発光セルと、
前記複数の発光セルが並列に連結されるよう前記複数の発光セルが形成された基板上に形成された複数の連結部と、
前記複数の連結部と前記複数の発光セルとの所望しない接続が防止されるよう前記複数の発光セルの表面に形成された絶縁層と
を含み、
前記複数の連結部は、前記複数の発光セルの第１導電型半導体層に連結された少なくとも１つの第１連結部と、前記複数の発光セルの第２導電型半導体層に連結された少なくとも１つの第２連結部とを含むことを特徴とする半導体発光装置。
【請求項７】
基板と、
それぞれが、前記基板の上面に順に形成された第１導電型半導体層、活性層及び第２導電型半導体層を有し、前記基板の上面に位置する複数の発光セルと、
前記複数の発光セルが直列と並列との組み合わせで連結されるよう前記複数の発光セルが形成された基板上に形成された複数の連結部と、
前記複数の連結部と前記複数の発光セルとの所望しない接続が防止されるよう前記複数の発光セルの表面に形成された絶縁層と
を含み、
前記複数の発光セルは、Ｍ個の行とＮ個の列（ここで、Ｍ、Ｎは４以上の整数）に配列され、
前記列の各々に位置するＭ個の発光セルは、それぞれ相互直列に連結された２以上の発光セルを有する複数のグループに区分され、前記複数のグループの発光セルは、隣接する他のグループの発光セルと同一極性の電極が対向するように形成され、
前記複数の連結部は、前記複数のグループの各々の一端に位置する発光セルの第１導電型半導体層に連結された少なくとも１つの第１連結部と、前記複数のグループの各々の他端に位置する発光セルの第２導電型半導体層に連結された少なくとも１つの第２連結部と、前記複数のグループの発光セルを相互直列に連結する直列連結用相互連結部とを含むことを特徴とする半導体発光装置。
【請求項８】
基板と、
それぞれが、前記基板の上面に順に形成された第１導電型半導体層、活性層及び第２導電型半導体層を有し、前記基板の上面に位置する複数の発光セルと、
前記複数の発光セルが並列、または直列と並列との組み合わせで連結されるよう前記複数の発光セルが形成された基板上に形成された複数の連結部と、
前記複数の連結部と前記複数の発光セルとの所望しない接続が防止されるよう前記複数の発光セルの表面に形成された絶縁層と
を含み、
前記複数の発光セル間の領域は少なくとも活性層まで除去された分離領域と定義され、
前記複数の連結部は、前記複数の発光セルのうち隣接する発光セルの間に位置し、発光セルが配列された方向に沿って形成された中間連結部を含み、前記複数の発光セルのうち隣接する発光セルは、前記中間連結部により連結される半導体発光装置。
【請求項９】
請求項１乃至８の何れか１項に記載された少なくとも１つの半導体発光装置を含む発光モジュール。
【請求項１０】
請求項１乃至８の何れか１項に記載された少なくとも１つの半導体発光装置を含む照明装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】